(57)【要約】      （修正有）【課題】落下の衝撃等を受けてもカムスライダーがメインシャーシから外れ難く、カムスライダーの摺動摩擦抵抗の増大も少ない光ディスク装置を提供する。【解決手段】トラバースシャーシを上下に回動させるカムスライダー１０に形成されたＬ形フック１３ａを、メインシャーシの前枠部１ａに形成されたスリット１１に嵌合係止させて、カムスライダー１０をスライド可能に取付けた光ディスク装置において、スリット１１のＬ形フック１３ａが係止する片側の側縁に被係合溝１２を形成し、この被係合溝１２に係合する係合凸部１３ｂをＬ形フック１３ａの先端から突設する。落下の衝撃を受けたとき被係合溝１２と係合している係合凸部１３ｂによってＬ形フック１３ａが外れるのを阻止する。係合凸部１３ｂの先端を、被係合溝１２の底面に対して点接触又は線接触する先端形状として、カムスライダー１０のスライド時の摺動摩擦抵抗の増大を抑える。【選択図】図４
2008097761.tif 000002
【特許請求の範囲】
【請求項１】
光ピックアップとターンテーブルが搭載されたトラバースシャーシをその後端部でメインシャーシに上下回動可能に取付け、このトラバースシャーシを上下に回動させるカムスライダーに形成されたＬ形フックを、メインシャーシの前枠部に形成されたスリットに嵌合係止させて、カムスライダーをメインシャーシの前枠部にスライド可能に取付けた光ディスク装置において、
上記スリットのＬ形フックが係合する片側の側縁の裏面に被係合溝を形成し、この被係合溝に係合する係合凸部として、その上端面が被係合溝の底面に対して点接触する凸球面とされた突起、又は、その上端面が被係合溝の底面に対して線接触する凸湾曲面もしくは斜面とされた突片を、上記Ｌ形フックの先端から突設したことを特徴とする光ディスク装置。
【請求項２】
光ピックアップとターンテーブルが搭載されたトラバースシャーシをその後端部でメインシャーシに上下回動可能に取付け、このトラバースシャーシを上下に回動させるカムスライダーに形成されたＬ形フックを、メインシャーシの前枠部に形成されたスリットに嵌合係止させて、カムスライダーをメインシャーシの前枠部にスライド可能に取付けた光ディスク装置において、
上記スリットのＬ形フックが係止する片側の側縁の裏面に被係合溝を形成し、この被係合溝に係合する係合凸部を上記Ｌ形フックの先端から突設したことを特徴とする光ディスク装置。
【請求項３】
上記係合凸部の上端を、上記被係合溝の底面に対して点接触又は線接触する形状としたことを特徴とする請求項２に記載の光ディスク装置。
【請求項４】
光ピックアップとターンテーブルが搭載されたトラバースシャーシをその後端部でメインシャーシに上下回動可能に取付け、このトラバースシャーシを上下に回動させるカムスライダーに形成されたＬ形フックを、メインシャーシの前枠部に形成されたスリットに嵌合係止させて、カムスライダーをメインシャーシの前枠部にスライド可能に取付けた光ディスク装置において、
上記スリットのＬ形フックが係止する側縁と反対側の側縁に係止させる係止部を、上記Ｌ形フックの屈曲部から突設したことを特徴とする光ディスク装置。
【発明の詳細な説明】
【技術分野】
【０００１】
本発明はＣＤ、ＤＶＤなどの光ディスク装置に関し、特に、誤って落下させるようなことがあっても、落下時の衝撃でカムスライダーがメインシャーシから外れないように改良した光ディスク装置に関する。
【背景技術】
【０００２】
従来のＤＶＤなどの光ディスク装置は、光ピックアップやターンテーブルを搭載したトラバースシャーシが、その後端部でメインシャーシに上下回動可能に取付けられており、このトラバースシャーシを上下に回動させるカムスライダーが、その裏面に形成されたＬ形フックをメインシャーシの前枠部のスリットに嵌合係止させることよって、メインシャーシの前枠部に左右スライド可能に取付けられている。そして、トラバースシャーシの上方にはディスクトレイが配置されて、前進・後退可能にメインシャーシの内側に取付けられており、このディスクトレイの上方に横架されたメインシャーシのブリッジ部のクランパー保持部にクランパーが保持されている。
【０００３】
このような光ディスク装置は、光ディスクをディスクトレイに載置して送り込むと、カムスライダーが一方向にスライドしてトラバースシャーシが上向きに回動（上昇）し、光ディスクの中央開口縁がターンテーブルとクランパーに挟持されて回転すると共に、光ピックアップがトラッキング方向（ターンテーブルに向かう方向）に移動しながらレーザービームを光ディスクに照射して記録・再生が行われるようになっており、記録・再生が終わると、カムスライダーが逆方向にスライドしてトラバースシャーシが下向きに回動（下降）し、光ディスクがディスクトレイに載置されて取り出されるようになっている。
【０００４】
一方、ディスクトレイの後方両側端に第一及び第二のストッパーを形成し、本体フレームの前方側に上記第一のストッパーと係合する第一のリブを形成すると共に、トラバースユニットの下降時に上記第二のストッパーと係合する第二のリブをラックローディングの上部に形成することにより、ディスクトレイの外れ防止を図ったディスク装置が知られている（特許文献１）。
【０００５】
また、クランパーの前端部に、トレイを挟み込んで固定するコ字部を有するトレイ連結板を配置することにより、運転時のトレイの振動を低減するように図った光ディスク装置も知られている（特許文献２）。
【特許文献１】特開２００６−１３４３８０号公報
【特許文献２】特開２００４−３９１９２号公報
【発明の開示】
【発明が解決しようとする課題】
【０００６】
しかしながら、前述した従来の光ディスク装置のように、カムスライダーの裏面に形成されたＬ形フックを、メインシャーシの前枠部に形成されたスリットに嵌合係止させて、カムスライダーをメインシャーシの前枠部に左右スライド可能に取付けたものは、ユーザーが誤って光ディスク装置を落下させるようなことがあると、その落下の衝撃でＬ形フックがスリットから外れて故障しやすいという問題があった。
【０００７】
このような問題は、特許文献１のようにディスクトレイの外れ防止を図る技術を適用しても解決することが困難であり、また、特許文献２のように運転時のトレイの振動を低減する技術を適用しても解決することが困難である。
【０００８】
本発明は上記事情の下になされたもので、その解決しようとする課題は、誤って落下させるようなことがあっても、落下時の衝撃でカムスライダーがメインシャーシから外れ難く、カムスライダーの摺動摩擦抵抗の増大も少ない光ディスク装置を提供することにある。
【課題を解決するための手段】
【０００９】
上記の課題を解決するため、本発明に係る光ディスク装置は、光ピックアップとターンテーブルが搭載されたトラバースシャーシをその後端部でメインシャーシに上下回動可能に取付け、このトラバースシャーシを上下に回動させるカムスライダーに形成されたＬ形フックを、メインシャーシの前枠部に形成されたスリットに嵌合係止させて、カムスライダーをメインシャーシの前枠部にスライド可能に取付けた光ディスク装置において、上記スリットのＬ形フックが係止する片側の側縁の裏面に被係合溝を形成し、この被係合溝に係合する係合凸部を上記Ｌ形フックの先端から突設したことを特徴とするものである。
【００１０】
本発明の光ディスク装置においては、上記係合凸部の上端を、上記被係合溝の底面に対して点接触又は線接触する形状とすることが好ましい。
【００１１】
そして、本発明の更に具体的な好ましい光ディスク装置は、光ピックアップとターンテーブルが搭載されたトラバースシャーシをその後端部でメインシャーシに上下回動可能に取付け、このトラバースシャーシを上下に回動させるカムスライダーに形成されたＬ形フックを、メインシャーシの前枠部に形成されたスリットに嵌合係止させて、カムスライダーをメインシャーシの前枠部にスライド可能に取付けた光ディスク装置において、上記スリットのＬ形フックが係合する片側の側縁の裏面に被係合溝を形成し、この被係合溝に係合する係合凸部として、その上端面が被係合溝の底面に対して点接触する凸球面とされた突起、又は、その上端面が被係合溝の底面に対して線接触する凸湾曲面もしくは斜面とされた突片を、上記Ｌ形フックの先端から突設したことを特徴とするものである。
【００１２】
また、本発明に係るもう一つの光ディスク装置は、光ピックアップとターンテーブルが搭載されたトラバースシャーシをその後端部でメインシャーシに上下回動可能に取付け、このトラバースシャーシを上下に回動させるカムスライダーに形成されたＬ形フックを、メインシャーシの前枠部に形成されたスリットに嵌合係止させて、カムスライダーをメインシャーシの前枠部にスライド可能に取付けた光ディスク装置において、上記スリットのＬ形フックが係止する側縁と反対側の側縁に係止させる係止部を、上記Ｌ形フックの屈曲部から突設したことを特徴とするものである。
【発明の効果】
【００１３】
本発明の光ディスク装置のように、スリットのＬ形フックが係止する片側の側縁の裏面に被係合溝を形成し、この被係合溝に係合する係合凸部をＬ形フックの先端から突設してあると、落下等の衝撃を受けてカムスライダーのＬ形フックがメインシャーシの前枠部のスリットから外れようとしても、被係合溝に係合するＬ形フック先端の係合凸部によってＬ形フックの外れが防止されるため、カムスライダーがメインシャーシの前枠部から離脱する等の故障が生じ難くなる。
【００１４】
そして、係合凸部の上端を、被係合溝の底面に対して点接触又は線接触する形状としたもの、例えば、更に具体的な好ましい光ディスク装置のように、上端面が被係合溝の底面に対して点接触する凸球面とされた突起や、上端面が被係合溝の底面に対して線接触する凸湾曲面もしくは斜面とされた突片などの係合凸部をＬ形フックの先端から突設したものは、カムスライダーのスライド時における係合凸部と被係合溝の底面との摺動摩擦抵抗が面接触の場合に比べて遥かに小さく、スライド時の抵抗増加が僅かであるため、カムスライダーのスライド動作に悪影響を及ぼす心配はない。
【００１５】
また、本発明のもう一つの光ディスク装置のように、スリットのＬ形フックが係止する側縁と反対側の側縁に係止させる係止部をＬ形フックの屈曲部から突設したものは、落下等の衝撃を受けてカムスライダーのＬ形フックがメインシャーシの前枠部のスリットから外れようとしても、スリットの反対側の側縁に係止する係止部によってＬ形フックの外れが防止されるため、上記と同様にカムスライダーがメインシャーシの前枠部から離脱する等の故障の発生が激減する。
【発明を実施するための最良の形態】
【００１６】
以下、図面を参照して本発明の具体的な実施形態を詳述する。
【００１７】
図１は本発明の一実施形態に係る光ディスク装置の平面図、図２は同光ディスクのカムスライダーとメインシャーシを分解して示す分解部分平面図、図３は同光ディスク装置のカムスライダーの左側面図、図４は図１におけるＡ−Ａ線拡大部分断面図、図５の（ａ）は図２におけるＣ−Ｃ線拡大部分断面図、図５の（ｂ）は図２におけるＢ−Ｂ線拡大部分断面図である。
【００１８】
この光ディスク装置は、メインシャーシ１の内側に、トラバースシャーシ２をその後端部両側の嵌合取付部３，３で上下回動可能に取付けたものであり、トラバースシャーシ２の上側には光ディスクを搬送するディスクトレイ（不図示）が配置されて、前進後退可能にメインシャーシ１の内側に取付けられている。そして、トラバースシャーシ２には光ピックアップ４とターンテーブル５が搭載され、光ピックアップ４は主軸６ａと副軸６ｂに沿ってトラッキング方向、即ち、ターンテーブル６に対して接近、離反する方向に移動するようになっており、この光ピックアップ４からレーサービームが光ディスクに照射されて記録、再生が行われるようになっている。
【００１９】
上記のターンテーブル５は、トラバースシャーシ２に搭載されたスピンドルモータ（不図示）の出力軸に固定され、トラバースシャーシ２が上昇したとき、即ち、後端部両側の嵌合取付部３，３を中心として上方に回動したときに、このターンテーブル５とその真上のクランパー７との間に光ディスクの中央開口縁を挟んで光ディスクを回転させるようになっている。このクランパー７は、ディスクトレイを跨ぐようにメインシャーシ１の上方に架設されたブリッジ部８の中央のクランパー保持部８ａに回転自在に保持されている。
【００２０】
上記のトラバースシャーシ２の前端部にはボス部９が形成されており、このボス部９が挿入されるカム溝を形成したカムスライダー１０が、メインシャーシ１の前枠部１ａに左右スライド可能に取付けられている。このカムスライダー１０は、その右端のラックギヤ１０ａと噛合するピニオンギヤ１０ｂの回転に伴って左右方向にスライドし、このようにカムスライダー１０がスライドすると、そのカム溝１１ａ，１１ｂに沿ってトラバースシャーシ２の上記ボス部９が摺動しながら上下動するため、トラバースシャーシ２が後端部両側の嵌合取付部３，３を支点として上下に回動するようになっている。尚、上記のピニオンギヤ１０ｂは、ディスクトレイ（不図示）の挿入時および取出し時にディスクトレイのラックギアと噛合し、ディスクトレイを前進・後退させるようになっている。
【００２１】
この光ディスク装置は、次のように動作して記録・再生が行われる。まず、光ディスクをディスクトレイに載置し、ディスクトレイのラックギアと噛合する上記ピニオンギア１０ｂを回転させてディスクトレイをメインシャーシ１の内部へ挿入すると、ディスクトレイのラックギアと上記ピニオンギア１０ｂの噛合が解除されて、上記ピニオンとカムスライダー１０のラックギア１０ａが噛合し、カムスライダー１０が左方向にスライドする。このようにカムスライダー１０がスライドすると、トラバースシャーシ２のボス部９がカムスライダー１０のカム溝と係合しながらカム溝内を摺動して上昇するため、トラバースシャーシ２が後端部両側の嵌合取付部３，３を支点として上向きに回動（上昇）し、光ディスクの中央開口縁がターンテーブル５とクランパー７に挟持されて回転する。すると、光ピックアップ４が主軸７ａと副軸７ｂに沿ってトラッキング方向（ターンテーブル５に向かう方向）に移動しながら、レーザービームを光ディスクに照射すると共に、その反射ビームを光ピックアップ４の光検出器で検出して、記録・再生が行われる。そして、記録・再生が終わると、カムスライダー１０が逆方向（右方向）にスライドしてトラバースシャーシ２が下向きに回動（下降）し、光ディスクがディスクトレイに載置されて取り出される。
【００２２】
この光ディスク装置の大きい特徴は、メインシャーシ１の前枠部１ａに対するカムスライダー１０の取付け部分にある。即ち、このメインシャーシ１の前枠部１ａには、図１，図２に示すように、左右一組の横方向のスリット１１，１１が形成されており、各スリット１１の片側の側縁の裏面には、被係合溝１２が平行に形成されている。そして、スリット１１と被係合溝１２の一端（図１，図２では左端）には、フック挿入口１１ａが形成されている。
【００２３】
一方、カムスライダー１０の裏面には、図２，図３に示すように、左右一組のフック手段１３，１３が設けられている。右側のフック手段１３は、右側のスリット１１が前枠部１ａの一段低い面に形成されていることに対応して、左側のフック手段１３よりも少し低い位置に形成されている。これらのフック手段１３は、図５に示すように、Ｌ形フック１３ａの先端に上向きの係合凸部１３ｂを一体に形成した略Ｕ形の断面形状を有するものであって、このフック手段１３を上記のフック挿入口１３から前枠部１ａの裏側へ挿入してスリット１１と被係合溝１２に沿って右方向にスライドさせ、図４に示すように、そのＬ形フック１３ａをスリット１１の片側の側縁に係止させると共に、先端の係合凸部１３ｂを被係合溝１２に係合させることによって、上記のカムスライダー１０がメインシャーシ１の前枠部１ａに左右スライド可能に取付けられている。このようにＬ形フック１３ａの先端の係合凸部１３ｂを被係合溝１２に係合させると、Ｌ形フック１３ａがスリット１１から外れ難くなるため、光ディスク装置を誤って落とすようなことがあっても、カムスライダー１０がメインシャーシ１の前枠部１ａから離脱するなどの故障が生じ難くなる。
【００２４】
特に、この係合凸部１３ｂは、その上端面を凸湾曲面とし、被係合溝１２の底面に対して線接触する形状の突片に形成されているため、カムスライダー１０の動作時における係合凸部１３ｂと被係合溝１２の底面との摺動摩擦抵抗が面接触の場合に比べて遥かに小さい。従って、係合凸部１３ｂを形成したことによる摺動抵抗の増加は僅かであるので、カムスライダー１０のスライド動作に悪影響を及ぼす心配はない。
【００２５】
この実施形態では、係合凸部１３ｂとして、上記のように上端面を凸湾曲面とした突片を形成しているが、上端面を斜面とし、被係合溝１２の底面に対して線接触する尖った形状の突片をＬ形フック１３ａの先端から上向きに一体形成してもよく、その場合も上記と同様の作用効果が得られる。
【００２６】
図６の（ａ）はカムスライダーのフック手段の他の形態を示す断面図、（ｂ）はその平面図である。
【００２７】
このフック手段１３は、Ｌ形フック１３ａの先端に、係合凸部１３ｃとして、上端面が前記被係合溝１２の底面に対して点接触する凸球面とされた円柱形状の突起を一体に形成したものである。このような点接触する係合凸部１３ｃを形成すると、カムスライダー１０の動作時における係合凸部１３ｃと被係合溝１１の底面との摺動摩擦抵抗が更に小さくなるので、スムーズなカムスライダー１０のスライド動作を確保することができる。
【００２８】
図７の（ａ）は本発明の他の実施形態の光ディスク装置におけるカムスライダー取付け部分の断面図、（ｂ）はその分解図である。
【００２９】
このカムスライダー１０のフック手段１３は、前枠部１ａに形成されたスリット１１の片側の側縁（図７においてＬ形フック１３ａが係止する右側の側縁）と反対側（左側）の側縁に下方から係止させる係止部１３ｄを、Ｌ形フック１３ａの屈曲部からその屈曲方向と反対方向に突設した、逆Ｔ形の断面を有するものであって、メインシャーシ１の前枠部１ａに前記の被係合溝１２を形成することなく、スリット１１の両側の側縁にＬ形フック１３ａと係止部１３ｄを係止させることにより、カムスライダー１０をメインシャーシ１の前枠部１ａに左右スライド可能に取付けたものである。
【００３０】
このようにカムスライダー１０を取付けた光ディスク装置も、Ｌ形フック１３ａと係止部１３ｄがスリット１１の両側の側縁に係止して外れないので、カムスライダーがメインシャーシの前枠部から離脱する等の故障の発生が皆無に等しくなる。
【００３１】
尚、Ｌ形フック１３ａの下端水平部の上面や係止部１３ｄの上面に、三角山形の断面を有する凸リブや、半円形の断面を有する凸リブを形成し、スリット１１の両側の側縁と線接触するように構成すると、摺動摩擦抵抗が大幅に減少してカムスライダー１０のスライド動作が極めてスムーズになるので好ましい。
【図面の簡単な説明】
【００３２】
【図１】本発明の一実施形態に係る光ディスク装置の平面図である。
【図２】同光ディスクのカムスライダーとメインシャーシを分解して示す分解部分平面図である。
【図３】同光ディスク装置のカムスライダーの左側面図である。
【図４】図１におけるＡ−Ａ線拡大部分断面図である。
【図５】（ａ）は図２におけるＣ−Ｃ線拡大部分断面図、（ｂ）は図２におけるＢ−Ｂ線拡大部分断面図である。
【図６】（ａ）はカムスライダーのフック手段の他の形態を示す断面図、（ｂ）はその平面図である。
【図７】図７の（ａ）は本発明の他の実施形態の光ディスク装置におけるカムスライダー取付け部分の断面図、（ｂ）はその分解図である。
【符号の説明】
【００３３】
１    メインシャーシ
１ａ  メインシャーシの前枠部
２    トラバースシャーシ
４    光ピックアップ
５    ターンテーブル
７    クランパー
１０  カムスライダー
１１  スリット
１２  被係合溝
１３ａ  Ｌ形フック
１３ｂ，１３ｃ  係合凸部
１３ｅ  係止部
【図１】
2008097761.tif 000003
【図２】
2008097761.tif 000004
【図３】
2008097761.tif 000005
【図４】
2008097761.tif 000006
【図５】
2008097761.tif 000007
【図６】
2008097761.tif 000008
【図７】
2008097761.tif 000009